(57)【要約】【課題】あらかじめ異なる宛先情報が表示された複数の宛先表示片から選択した宛先に、選択した宛先表示片に記入した隠蔽情報を隠蔽状態として届けることができる隠蔽情報所持体を作成するためのシートを提供する。【課題の解決手段】隠蔽情報所持体用シートである隠蔽葉書用シート１は、接着後に剥離可能な粘着層を一面側に設けてなる隠蔽片２と、この隠蔽片２の対向する一対の長辺にそれぞれ折り兼切り用ミシン目３，４を介して連接した２枚の宛先情報表示片５，６とからなり、各宛先情報表示片５，６には、隠蔽片２の粘着層設置面を折り兼切り用ミシン目３，４で折り重ねて被覆隠蔽される部分に隠蔽情報記入欄を設ける一方、この隠蔽情報記入欄が隠蔽片２によって被覆隠蔽されたときに露出する部分に互いに異なる宛先情報８，９を表示し、選択した一方の隠蔽情報記入欄に記入した隠蔽情報を隠蔽片２で被覆隠蔽可能にした。【選択図】図１
2007118390.tif 000002
【特許請求の範囲】
【請求項１】
接着後に剥離可能な粘着層を一面側に設けてなる隠蔽片と、この隠蔽片の異なる端縁にそれぞれ折り兼切り部を介して連接した複数の宛先情報表示片とからなり、各宛先情報表示片には、前記隠蔽片の粘着層設置面を前記折り兼切り部で折り重ねて被覆隠蔽される部分に隠蔽情報記入欄を設ける一方、この隠蔽情報記入欄が前記隠蔽片によって被覆隠蔽されたときに露出する部分に互いに異なる宛先情報を表示し、選択した一方の隠蔽情報記入欄に記入した隠蔽情報を前記隠蔽片で被覆隠蔽可能に構成したことを特徴とする隠蔽情報所持体用シート。
【発明の詳細な説明】
【技術分野】
【０００１】
本発明は、隠蔽情報記入欄に記載した情報を隠蔽した状態で、あらかじめ表示された宛先に届けることのできる隠蔽情報所持体を作成するためのシートに関する。
【背景技術】
【０００２】
従来から、折り重ねられる２枚、あるいは３枚の紙片の適宜な重ね合わせ面に隠蔽情報を表示し、この重ね合わせ面に接着後に剥離可能な接着剤を設ける一方、折り重ね時に露出する面側に宛先情報を表示し、この宛先情報の表示先に届けられる隠蔽情報所持体、及びこの隠蔽情報所持体を作成するためのシートは、種々の構成のものが知られている。
【特許文献１】特開２００４−２８４２１２号公報
【発明の開示】
【発明が解決しようとする課題】
【０００３】
しかし、これら従来の隠蔽情報所持体、及びこの隠蔽情報所持体を作成するためのシートは、表示された宛先情報の表示先に届けられるので、表示する隠蔽情報も宛先に対応した内容に特定される。したがって、従来にあっては、複数の宛先の中から一つを選択して隠蔽情報を伝達する場合に、使用の便宜を考慮して宛先をあらかじめ表示するときには、宛先毎に、各別の隠蔽情報所持体、及びこの隠蔽情報所持体を作成するためのシートを用意する必要があり、取り扱いが煩雑であるという不都合があった。本発明は、このような不都合を解消した隠蔽情報所持体を作成するためのシートを提供することを目的とする。
【課題を解決するための手段】
【０００４】
この目的を達成するため本発明の請求項１に係る隠蔽情報所持体用シートは、接着後に剥離可能な粘着層を一面側に設けてなる隠蔽片と、この隠蔽片の異なる端縁にそれぞれ折り兼切り部を介して連接した複数の宛先情報表示片とからなり、各宛先情報表示片には、前記隠蔽片の粘着層設置面を前記折り兼切り部で折り重ねて被覆隠蔽される部分に隠蔽情報記入欄を設ける一方、この隠蔽情報記入欄が前記隠蔽片によって被覆隠蔽されたときに露出する部分に互いに異なる宛先情報を表示し、選択した一方の宛先情報表示片の隠蔽情報記入欄に記入した隠蔽情報を前記隠蔽片で被覆隠蔽可能に構成したものである。ここで、互いに異なる宛先情報とは、住所、名称または氏名がすべて異なるものはもちろん、同一住所、同一名称でも部署名が異なるものも含むものであり、要するに、少なくとも一部が異なる宛先情報を意味するものである。
【発明の効果】
【０００５】
本発明の請求項１に係る隠蔽情報所持体用シートによれば、表示された異なる宛先情報から選択した宛先に、記入した隠蔽情報を隠蔽状態として届けることができ、宛先毎に隠蔽情報所持体用シートを作成する必要がなく、取り扱いが容易であるという効果を奏する。
【発明を実施するための最良の形態】
【０００６】
以下、本発明を隠蔽葉書用シートに適用した場合の第１実施形態について添付図面の図１〜図５に基づき説明する。この実施形態は、小売店が新たなクレジットカードの取り扱いを希望するか否かを、小売店が加盟しているクレジット会社に通知する隠蔽葉書を作成するためのシートに関するものである。ここにおいて、図１は隠蔽葉書用シートの宛先情報記載面側を示す平面図、図２は同じく隠蔽情報記載面側を示す平面図、図３は図１のＡ−Ａ線断面図、図４は作成した隠蔽葉書を示す平面図、図５は隠蔽葉書の重ね合わせ接着面を剥離した状態を示す平面図である。
【０００７】
図１〜図３に示すように、隠蔽葉書用シート１は、隠蔽片２と、この隠蔽片２の異なる端縁である一対の対向する長辺に、それぞれ折り兼切り部たる折り兼切り用ミシン目３，４を介して連接した２枚の宛先情報表示片５，６とからなる。図１に示すように、前記隠蔽片２の一面側には、隠蔽葉書用シート１の使用方法に関する説明文７をあらかじめ表示している。また、これと同一面側の各宛先情報表示片５，６には、同一会社ではあるが宛先部署が「帳票請求係」と「管理部」というように互いに異なる宛先情報８，９をあらかじめ表示している。
【０００８】
図２に示すように、各宛先情報表示片５，６の他面側には、それぞれ隠蔽情報記入欄１０，１１をあらかじめ設けている。宛先情報表示片５の隠蔽情報記入欄１０は、新たなクレジットカードの取り扱いに同意する場合に、必要事項である加盟店番号、店名、電話番号及び請求する帳票の種類や数を記入するもので、その上には「○○カード取扱い用帳票請求はがき」と表示されている。一方、宛先情報表示片６の隠蔽情報記入欄１１は、新たなクレジットカードの取り扱いに同意しない場合に、必要事項である加盟店番号、店名、電話番号及び不同意理由を記入するもので、その上には「○○カード取扱い不同意はがき」と表示されている。
【０００９】
図２及び図３に示すように、隠蔽情報記入欄１０，１１設置面と同一面側の隠蔽片２には、アクリル樹脂系粘着剤を水性エマルジョン化してフレキソ印刷法により形成してなる接着後に剥離可能な粘着層１２を、各折り兼切り用ミシン目３，４に沿った帯状部分を除いて設けている。そして、この粘着層１２設置部分と各折り兼切り用ミシン目３，４の間の帯状部分に、それぞれ「郵便はがき」という葉書表示１３，１４をあらかじめ設け、これら葉書表示１３，１４を露出するようにして剥離紙１５で粘着層１２を被覆している。
【００１０】
そして、同意、不同意の回答内容に応じて選択する宛先情報表示片５，６の一方と隠蔽片２との２片の組み合わせで隠蔽葉書となる隠蔽葉書用紙片を形成するもので、前記各宛先情報表示片５，６は同一幅であり、前記隠蔽片２の幅はこれら宛先情報表示片５，６の幅よりも葉書表示１３，１４を設けている帯状部分だけ広くなっている。したがって、宛先情報表示片５を選択して、折り兼切り用ミシン目３から隠蔽片２の粘着層１２設置面側に折り重ねた場合には、葉書表示１４が露出し、宛先情報表示片６を選択して、折り兼切り用ミシン目４から隠蔽片２の粘着層１２設置面側に折り重ねた場合には、葉書表示１３が露出することになる。
【００１１】
続いて、上述した隠蔽葉書用シート１の使用方法を説明する。隠蔽葉書用シート１は、図１〜図３状態において各宛先情報表示片５，６を各折り兼切り用ミシン目３，４で隠蔽片２の剥離紙１５側に折り重ねた三つ折り状態で、封筒（図示せず）に挿入封緘し、クレジット会社から各加盟店に郵送される。各加盟店では、封筒から隠蔽葉書用シート１を取り出して図１〜図３状態に展開し、説明文７を読んで同意、不同意を決定したうえ、決定結果に応じて宛先情報表示片５，６を選択して、その隠蔽情報記入欄１０，１１に所定事項を記入する。この記入は、担当者が手書き記入してもよいし、適宜なプリンタで印字してもよい。
【００１２】
例えば、不同意として宛先情報表示片６を選択した場合には、隠蔽情報記入欄１１に必要事項を記入し、剥離紙１５を剥離して露出した隠蔽片２の粘着層１２に対して、折り兼切り用ミシン目４から前記宛先情報表示片６を折り重ねて接着する。その後、あるいはその前における適宜な時期に、もう一方の宛先情報表示片５を折り兼切り用ミシン目３を破断して切り離すと、図４に示すように、葉書表示１３及び宛先情報９が露出し、隠蔽情報記入欄１１に記入した隠蔽情報１６（図５参照）が隠蔽片２よって被覆隠蔽された隠蔽葉書１７が作成される。
【００１３】
隠蔽葉書１７は、既に宛先情報９が表示されているので、このまま通常の官製葉書と同様に使用可能である。この隠蔽葉書１７を受領した、クレジット会社の管理部では、宛先情報表示片６を隠蔽片２から捲り上げると、粘着層１２は剥離可能なので、見開き状態となり、図５に示すように、隠蔽情報１６を確認することができる。そして、記入内容に応じた処理を行うものである。
【００１４】
なお、上述の例とは逆に、カード取扱いに同意して宛先情報表示片５を選択した場合にも、宛先情報表示片６を折り兼切り用ミシン目３を破断して切り離し、剥離紙１５を剥離して、前記宛先情報表示片５と隠蔽片２とから上述と同様にして隠蔽葉書（図示せず）を作成し、これを使用することができる。
【００１５】
続いて、図６及び図７に基づいて、本発明を隠蔽葉書用シートに適用した第２実施形態を説明する。この実施形態は、デパートや量販店の会員となった者が、提携している異なるクレジット会社の二つのクレジットカードから使用を希望する一つのカードを選択して、選択したカードのクレジット会社に使用申込を行う申込書となる隠蔽葉書を作成するためのシートに関する。ここにおいて、図６は隠蔽葉書用シートの宛先情報及び隠蔽情報記載面側を示す平面図、図７は作成した隠蔽葉書を示す平面図である。
【００１６】
図６に示すように、隠蔽葉書用シート２１は、隠蔽片２２と、この隠蔽片２２の異なる端縁である一対の対向する長辺に、それぞれ折り兼切り部たる折り兼切り用ミシン目２３，２４を介して連接した２枚の宛先情報表示片２５，２６とからなる。なお、第１実施形態と同様に、前記隠蔽片２２の図示面とは反対面側には、図示してはいないが、隠蔽葉書用シート２１の使用方法に関する説明文をあらかじめ表示している。
【００１７】
また、各宛先情報表示片２５，２６の図示する一面側には、住所、名称が互いに異なる二つのクレジット会社に関する宛先情報２８，２９を上下反対向きにしてあらかじめ表示し、これら宛先情報２８，２９の下にはそれぞれ、同様に上下反対向きにして、必要な申込情報を記入する隠蔽情報記入欄３０，３１をあらかじめ設けている。さらに、各宛先情報２８，２９の上には「郵便はがき」という葉書表示３３，３４をあらかじめ設けている。
【００１８】
隠蔽片２２の図示面側、すなわち宛先情報２８，２９及び隠蔽情報記入欄３０，３１の設置面と同一面側の隠蔽片２２には、図示してはいないが、アクリル樹脂系粘着剤を水性エマルジョン化してフレキソ印刷法により形成してなる接着後に剥離可能な粘着層を、各折り兼切り用ミシン目２３，２４に沿った部分を除いて設けている（図３の粘着層１２参照）。そして、この粘着層を剥離紙３５で被覆している。この剥離紙３５及び隠蔽片２２には、上下方向中央に位置して各折り兼切り用ミシン目２３，２４と直交する切り用ミシン目２７を設けている。この切り用ミシン目２７によって、隠蔽片２２及び剥離紙３５はそれぞれ、上下に二つの部分２２ａ，２２ｂ及び３５ａ，３５ｂに区画される。
【００１９】
そして、使用を希望するクレジットカードに応じて選択する宛先情報表示片２５と隠蔽片２２の下部分２２ｂの組み合わせ、あるいは宛先情報表示片２６と隠蔽片２２の上部分２２ａの組み合わせで、隠蔽葉書となる隠蔽葉書用紙片を形成するもので、前記隠蔽片２２及び各宛先情報表示片２５，２６は同一幅である。したがって、宛先情報表示片２５を選択して、折り兼切り用ミシン目２４、切り用ミシン目２７及び折り兼切り用ミシン目２３の上半分を破断してなる隠蔽片２２の下部分２２ｂを折り重ねた場合には、隠蔽情報記入欄３０が被覆隠蔽されて、宛先情報２８及び葉書表示３３が露出する一方、宛先情報表示片２６を選択して、折り兼切り用ミシン目２３、切り用ミシン目２７及び折り兼切り用ミシン目２４の下半分を破断してなる隠蔽片２２の上部分２２ａを折り重ねた場合には、隠蔽情報記入欄３１が被覆隠蔽されて、宛先情報２９及び葉書表示３４が露出することになる。
【００２０】
続いて、上述した隠蔽葉書用シート２１の使用方法を説明する。隠蔽葉書用シート２１は、図６状態において各宛先情報表示片２５，２６の一方を折り兼切り用ミシン目２３，２４で隠蔽片２２の剥離紙３５側に折り重ね、他方を隠蔽片２２の剥離紙３５とは反対面側に折り重ねた三つ折り状態で、封筒（図示せず）に挿入封緘し、この封筒をデパートや量販店から新規会員に郵送し、あるいは店内に配置された前記封筒を新規会員が持ち帰る。新規会員は、封筒から隠蔽葉書用シート２１を取り出して図６状態に展開し、図示していない説明文を読んで使用希望のクレジットカードを決定したうえ、決定結果に応じて宛先情報表示片２５，２６の一方を選択して、その隠蔽情報記入欄３０，３１に所定事項を記入する。この記入は、申込者が手書き記入してもよいし、適宜なプリンタで印字してもよい。
【００２１】
例えば、宛先情報表示片２５を選択した場合には、隠蔽情報記入欄３０に必要事項を記入し、剥離紙３５の下部分３５ｂ及びこれに対応する隠蔽片２２の下部分２２ｂを残すように各ミシン目２４，２７，２３を破断したうえ、前記剥離紙３５の下部分３５ｂを剥離して露出した前記隠蔽片２２の下部分２２ｂの粘着層によって、前記隠蔽片２２の下部分２２ｂを、折り兼切り用ミシン目２３から前記宛先情報表示片２５に折り重ねて接着する。これによって、図７に示すように、宛先情報２８及び葉書表示３３が露出し、隠蔽情報記入欄３０に記入した隠蔽情報（図示せず）が隠蔽片２２の下部分２２ｂよって被覆隠蔽された隠蔽葉書３７が形成される。
【００２２】
隠蔽葉書３７は、既に宛先情報２８が表示されているので、このまま通常の官製葉書と同様に使用可能である。この隠蔽葉書３７を受領したクレジット会社では、担当者が隠蔽片２２の下部分２２ｂを宛先情報表示片２５から捲り上げると、粘着層は剥離可能なので剥離され、図示していない隠蔽情報を確認することができる。そして、記入内容に応じた処理を行うものである。この剥離動作は、前記隠蔽片２２の下部分２２ｂにおける宛先情報表示片２５の長辺に沿った部分に粘着層が存在しないため、この粘着層不存在部分に指を掛けて容易に行うことができる。
【００２３】
なお、上述の例とは逆に、宛先情報表示片２６を選択した場合にも、剥離紙３５の上部分３５ａ及び隠蔽片２２の上部分２２ａを残すように各ミシン目２３，２７，２４を破断したうえ、前記上部分３５ａを剥離して露出した隠蔽片２２の上部分２２ａの粘着層によって、前記隠蔽片２２の上部分２２ａを、折り兼切り用ミシン目２４から前記宛先情報表示片２６に折り重ねて、上述と同様にして隠蔽情報を記入した隠蔽情報記入欄３１を隠蔽した隠蔽葉書（図示せず）を作成して、これを使用することができる。
【００２４】
なお、本発明は、上述の各実施形態に限定されるものではなく、例えば、各宛先情報表示片５，６，２５，２６は、隠蔽片２，２２の一対の長辺に折り兼切り用ミシン目３，４，２３，２４を介して連接するのではなく、一対の短辺に折り兼切り用ミシン目を介して連接してもよいほか、四辺全てに折り兼切り用ミシン目を介して連接してもよい。この場合には、４枚の宛先情報表示片から１枚を選択して使用するものである。また、折り兼切り部は、ミシン目３，４，２３，２４に限らず、切り取り指示線でもよいものである。
【図面の簡単な説明】
【００２５】
【図１】第１実施形態における隠蔽葉書用シートの宛先情報記載面側を示す平面図。
【図２】同じく隠蔽情報記載面側を示す平面図。
【図３】図１のＡ−Ａ線断面図。
【図４】作成した隠蔽葉書を示す平面図。
【図５】隠蔽葉書の重ね合わせ接着面を剥離した状態を示す平面図。
【図６】第２実施形態における隠蔽葉書用シートの宛先情報及び隠蔽情報記載面側を示す平面図。
【図７】作成した隠蔽葉書を示す平面図。
【符号の説明】
【００２６】
１，２１      隠蔽葉書用シート
２，２２      隠蔽片
３，４，２３，２４      折り兼切り用ミシン目
５，６，２５，２６      宛先情報表示片
７      説明文
８，９，２８，２９      宛先情報
１０，１１，３０，３１      隠蔽情報記入欄
１２      粘着層
１３，１４，３３，３４      葉書表示
１５，３５      剥離紙
１６      隠蔽情報
１７，３７      隠蔽葉書
２７      切り用ミシン目
【図１】
2007118390.tif 000003
【図２】
2007118390.tif 000004
【図３】
2007118390.tif 000005
【図４】
2007118390.tif 000006
【図５】
2007118390.tif 000007
【図６】
2007118390.tif 000008
【図７】
2007118390.tif 000009